(57)【要約】      （修正有）【課題】窓枠の内面に沿って容易に取り付けることのできる、改良された開き窓のタイバーおよびタイバーガイドシステムを提供する。【解決手段】タイバーの部分を実矧ぎ継ぎ手段で摺動自在に受容するための第１および第２の受け溝を有するタイバーガイド２０と、窓枠面と平行な方向へ軸方向に摺動するように適合されかつ第１の凸部を含む第１部分と中央部分に関して第１部分の対向側にある第２の凸部を含む第２部分とを有する平坦な中央部分を含む、部分的に湾曲された外形および断面を有するタイバー１０とを含む。【選択図】図１
2018059392.tif 000002
【特許請求の範囲】
【請求項１】
細長い面を有する枠を備えた開き窓のためのロック装置であって、
タイバーの部分を実矧ぎ継ぎ手段で摺動自在に受容するための第１および第２の受け溝を有する、窓枠面に取り付けられるように適合されたタイバーガイドと、
窓枠面と平行な方向へ軸方向に摺動するように適合され、そして第１の凸部を含む第１部分と、中央部分に関して第１部分の対向側にある、第２の凸部を含む第２部分とを有する平坦な中央部分を含む、部分的に湾曲された外形および断面を有するタイバーと
を含み、
タイバーはタイバーガイド内に摺動自在に受容され、それにより、タイバーの位置をタイバーガイドに関して長手方向に調節自在にする一方、長手方向に直角な方向へのタイバーの動きを防止するように、タイバーの第１の凸部がタイバーガイドの第１の受け溝に受容されそしてタイバーの第２の凸部がタイバーガイドの第２の受け溝に受容される、
ロック装置。
【請求項２】
タイバーガイドはタイバーの外形の一部分だけを取り囲む、請求項１に記載のロック装置。
【請求項３】
タイバーガイドは窓枠面に装着されるように適合された基台部分とタイバーガイドの基台部分上に平行に延びる縁部とをさらに含み、１つのタイバーガイドの第１または第２の受け溝は縁部とタイバーガイドの基台部分との間に画定される、請求項１に記載のロック装置。
【請求項４】
タイバーはタイバーを通って横方向に延びる偏心して装着さられた突出部を有するロックピンを配置するための少なくとも１つの開口をその外面にさらに含み、ロックピンはロック装置が鎖錠位置にあるとき、タイバーに対向して窓台に装着されるストライカの外面に対して、タイバーの長手方向に直角に、所望程度まで締め付けられるように適合される、請求項１に記載のロック装置。
【請求項５】
タイバーガイドはタイバーがタイバーガイドを通って軸方向に摺動されるときに開き窓の組立て中にタイバーガイドの位置決めを助けるように少なくとも１つの開口を配置するための突出部をさらに含み、突出部および開口はタイバーガイドを所望の位置に維持するように戻り止めとして作用する、請求項４に記載のロック装置。
【請求項６】
タイバーガイド突出部はタイバーがタイバーガイドを通って軸方向へ摺動されるときにタイバーの外面にぶつかって変形しそしてタイバーガイドが適切な整列状態に達したときに少なくとも１つの開口と結合するようにその原形状に戻る、請求項５に記載のロック装置。
【請求項７】
タイバーを通って横方向に延びるロックピンに係合しかつタイバーを窓枠に沿って軸方向に摺動するように適合される、窓枠の内面に装着されかつタイバーに直角な軸の周りで回転自在なロックハンドルと、
窓サッシに取り付けられるストライカと、
ロックハンドルが少なくとも１つのロックピンを鎖錠位置に移動するように回動されたときにタイバーの長手方向に垂直にストライカの外面に対して所望程度まで締め付けるように適合される、タイバーを通って横方向に延びる偏心して装着された突出部を有する少なくとも１つのロックピンと
をさらに含む、請求項１に記載のロック装置。
【請求項８】
タイバーおよびタイバーガイドはそれぞれの長さに関して対称である、請求項１に記載のロック装置。
【請求項９】
タイバーガイドは背面から延びかつ窓枠の内側コーナからタイバーガイドを離間するように適合された少なくとも１つのタブをさらに含む、請求項１に記載のロック装置。
【請求項１０】
実矧ぎ継ぎでタイバーの部分を摺動自在に受容するための第１および第２の受け溝を有する、窓枠面に装着されるタイバーガイドを提供することと、
第１の凸部からなる第１部分と第２の凸部からなる第２部分を有する平坦な中央部分を含む部分的に湾曲された外形および断面を有し、第１および第２部分が中央部分に関して対向する側にあるタイバーを提供することと、
タイバーガイドに関して長手方向へタイバーの位置を調節できる一方、当該長手方向と直角な方向へのタイバーの移動を阻止するようにタイバーの第１の凸部がタイバーガイドの第１の受け溝に受容されそしてタイバーの第２の凸部がタイバーガイドの第２の受け溝に受容されるようにタイバーガイド内でタイバーを軸方向に摺動することと
を含む、開き窓の作動方法。
【請求項１１】
タイバーはタイバーガイド内をタイバーが軸方向へ摺動するようにタイバーの外形の一部分のみに巻き付く、請求項１０に記載の方法。
【請求項１２】
タイバーガイドは窓枠面に装着される基台部分とタイバーガイドの基台部分上に平行に延びる縁部とをさらに含み、１つのタイバーガイドの第１または第２の受け溝は縁部とタイバーガイドの基台部分との間に画定される、請求項１に記載の方法。
【請求項１３】
タイバーはタイバーを通って横方向に延びる偏心して装着された突出部を有するロックピンを配置するための少なくとも１つの開口をその外面に含み、そしてタイバーガイドは少なくとも１つの開口を配置するための突出部を含み、突出部および開口は所望の位置にタイバーガイドを維持するための戻り止めとして作用する請求項１０に記載の方法であって、
タイバーガイドの配置を助けるためにタイバーがタイバーガイドを通って軸方向に摺動するようにタイバーガイド突出部をタイバーの開口と整列すること
をさらに含む、方法。
【請求項１４】
タイバーガイド戻り止めはタイバーがタイバーガイドを通って軸方向に摺動されるときにタイバーの外面にぶつかって変形しそしてタイバーガイドが適切な整合状態に達したときに少なくとも１つの開口と結合するように元の形状に戻る、請求項１３に記載の方法。
【請求項１５】
タイバーを通って横方向に延びるロックピンと係合しかつタイバーを窓枠に沿って軸方向に摺動するように適合される、窓枠の内面に装着されかつタイバーに垂直な軸の周りで回転自在なロックハンドルを提供することと、
窓サッシに取り付けられるストライカとタイバーを通って横方向に延びる偏心して鎖装着された突出部を有する少なくとも１つのロックピンとを提供し、ロックハンドルが少なくとも１つのロックピンを鎖錠位置に移動するように回動されたとき、少なくとも１つのロックピンがストライカの外面に対してタイバー長手方向に直角に所望程度まで締め付けられるように適合されることと、
少なくとも１つのロックピンを鎖錠および解錠位置間で移動するようにロックハンドルを回動することと
をさらに含む、請求項１０に記載の方法。
【請求項１６】
細長い面を有する枠を備えた開き窓のためのロック装置であって、
窓枠面に装着されるように適合されたタイバーガイドと窓枠面に平行な方向へ軸方向に摺動するように適合される、タイバーガイド内に摺動自在に受容されるタイバーとを含み、タイバーおよびタイバーガイドの一方はその外面に開口を有し、他方は開口の方向へ延びる突出部を有し、
タイバーがタイバーガイド内に摺動自在に受容されたとき、突出部および開口はロック装置の取付け中にタイバーガイドを所望の位置に保持するように戻り止めとして作用する、
ロック装置。
【請求項１７】
タイバーはタイバーを通って横方向に延びる偏心して装着された突出部を有するロックピンを配置するための少なくとも１つの開口をその外面に含み、
ロックピンはロック装置が鎖錠位置にあるときに窓台にタイバーに対向して装着されたストライカの外面に対してタイバーの長手方向に直角に所望程度まで締め付けられるように適合される、請求項１６に記載のロック装置。
【請求項１８】
タイバーガイドは開き窓の組み付け中のタイバーガイドの位置決めを助けるためにタイバーがタイバーガイドを通って軸方向に摺動されるように少なくとも１つの開口を配置するための突出部を含む、請求項１７に記載のロック装置。
【請求項１９】
タイバーガイド突出部はタイバーがタイバーガイドを通って軸方向に摺動されるときにタイバーの外面にぶつかって変形し、タイバーガイドが適切な整合に達したときに少なくとも１つの開口と結合するように元の形状に戻る、請求項１８に記載のロック装置。
【請求項２０】
タイバーガイドはタイバーの外形の一部分の回りのみを巻き込む、請求項１６に記載のロック装置。
【請求項２１】
タイバーを通って横方向に延びるロックピンに係合しかつ窓枠に沿ってタイバーを軸方向に摺動するように適合される、窓枠の内面に装着されかつタイバーに垂直な軸の周りで回転自在なロックハンドルと、
窓サッシに装着されるストライカと、
タイバーを通って横方向に延びる偏心して装着された突出部を有する少なくとも１つのロックピンと
をさらに含み、
少なくとも１つのロックピンはロックハンドルが少なくとも１つのロックピンを鎖錠位置に移動するように回動されたときにタイバー長手方向と直角にストライカの外面に対して所望の程度まで締め付けられるように適合される、請求項１６に記載のロック装置。
【請求項２２】
タイバーおよびタイバーガイドは各々それらの長さに関して対称である、請求項１６に記載のロック装置。
【請求項２３】
タイバーガイドはその背面から延びかつタイバーガイドを窓枠の内側コーナから離間するように適合される少なくとも１つのタブをさらに含む、請求項１６に記載のロック装置。
【請求項２４】
タイバーガイドはタイバーの部分を実矧ぎ継ぎで摺動自在に受容するための第１および第２の受け溝を有し、タイバーは第１の凸部を含む第１部分と第２の凸部を含む第２部分とを有する平坦な中央部分を含む部分的に湾曲された外形および断面を有し、第１および第２の部分は中央部分に関して対向側にあり、
タイバーは、タイバーの位置をタイバーガイドに関して長手方向に調節できる一方、長手方向に垂直な方向へのタイバーの動きを阻止できるように、タイバーの第１の凸部がタイバーガイドの第１の受け溝に受容されそしてタイバーの第２の凸部がタイバーガイドの第２の受け溝に受容されるようにタイバーガイドに摺動自在に受容される、
請求項１６に記載のロック装置。
【請求項２５】
タイバーガイドは窓枠面に装着される基台部分とタイバーガイドの基台部分上に平行に延びる縁部とをさらに含み、一つのタイバーガイドの第１または第２の受け溝は縁部とタイバーガイドの基台部分との間に画定される、請求項２４に記載のロック装置。
【発明の詳細な説明】
【技術分野】
【０００１】
本発明は総体的に開き窓のためのロック機構に関する。より詳細には、本発明は、開き窓のための多点式または連続的ロック機構のためのタイバー、そして、開き窓のフレームにタイバーを固定するのに用いられ、窓のフレームに沿ってタイバーおよびタイバーガイドを容易に設置できる改良されたタイバーガイドに関する。
【背景技術】
【０００２】
開き窓は典型的に一側に沿ってヒンジ留めされ、閉鎖される固定枠内に振子動する。開き窓のためのロック機構の一つの形態は、窓の開放側に沿って窓枠に摺動自在に取り付けられた平坦なタイバーを使用する。タイバーには、タイバーから外方へ延びる複数のロックピンが設けられる。使用者によって閉錠および解錠位置間に投入できるロックハンドルが窓枠の内部に設けられる。ロックハンドルはタイバーを摺動し、それは各ロックピンを対応する閉錠および解錠位置間で移動する。
【０００３】
開き窓サッシには、窓が閉じられるときに、窓枠のロックピンの前の位置に移動する複数のフック状に傾斜されたキーパーが設けられ得る。使用者は次いでロックハンドルを鎖錠位置に動かしてタイバーを摺動し、独立した各ロックピンを対応するキーパーとの係合状態に駆動する。
【０００４】
ロックピンとキーパーは適切に離間され、それによりロックピンは、典型的に、サッシの底部とから始まりそしてサッシの頂部で終わる逐次的方法で、キーパーと係合する。結果的に、サッシの底部がまず係止され、そして中間および頂部ロックピンの中間および頂部傾斜キーパーとの相互作用がサッシの中間および頂部部分を枠に対して引っ張り、閉じた状態に係止する。
【０００５】
別のタイプの開き窓ロックアセンブリは、より従来型の固定ピンを、外方円筒形ローラのための軸として機能する内方ピン上で回転する円筒形の外方ローラを有する「ローラ」ピンと置き換える。外方ローラはキーパーの内方フック部分とロックピンの外面との間に低摩擦の転がり接触を提供する。従来の「ローラ」ピン設計において、内方ピンは一端をタイバーに調節自在に取り付けられ、そして外方ローラの最大直径よりも大きなエンドプレートが対向端に設けられる。エンドプレートはタイバーと平行である。円筒形の外方ローラは、内方ピンのエンドプレートとタイバーとの間に緩く保持され、そこにおいて内方ピンの回りで自由に回転する。エンドプレートは、キーパーのフック部分の開口内部の幅よりも大きな直径を有する。キーパーはピンの外方ローラに係合し、タイバーとエンドプレートとの間に保持される。このことは、キーパーがローラピンの端部に寄せられるのを防止することにより安全性を増大する。このタイプのローラピンは、２００３年１１月２５日にミンター、他に付与された米国特許第６,６５１,３８９号、「改良されたタイバーガイドおよびストライカを有する開き窓」に開示されている。
【０００６】
しかしながら、このタイプのローラピン設計におけるエンドプレートは、固定された内方ピンの一部であるので、外方ローラと共に回転しない。タイバーが摺動してローラピンがそれぞれのキーパー内で動くとき、固定されたエンドプレートはキーパー表面を直接摺動して摩擦を生成して摩耗する。複数のローラピンおよびキーパーが同時に係合されるとき、この摩擦は好ましくないものになる。
【０００７】
旧来のタイバーおよびタイバーガイド設計の短所の一つは、しばしば多種多様な窓枠に単一様式のロック装置が取り付けられるため、設置業者はしばしば窓枠の内面に沿ったタイバーおよびタイバーガイドの正確な位置について混乱させられる。タイバーおよびタイバーガイドが適切に取り付けられないと、それぞれ取り外して取り付け直さねばならない。それ故、ロックハンドルからの正しい位置および間隔への適切な取付けを確実にするように、窓枠の内面に沿って容易に設置できる改良されたタイバーおよびタイバーガイドシステムを必要としている。
【０００８】
旧来のタイバーおよびタイバーガイド設計の別の短所は、タイバーに沿ってタイバーガイドを正しく離間させるのが困難であることである。タイバーがタイバーガイドを通って摺動するとき、均一に離間された状態で窓枠の内面に装着されることがタイバーガイドにとって構造的に重要である。さらに、タイバーガイドはタイバー上を摺動するので、設置業者にとって窓枠に固定するときにタイバーガイドを均等に離間することが困難である。それ故、タイバーおよび窓枠に沿ってタイバーガイドをより容易に均等に離間できる、改良されたタイバーおよびタイバーガイドシステムを必要としている。
【０００９】
旧来のタイバーおよびタイバーガイド設計のまた別の短所は、左または右開きの開き窓用に事前に構成されることであり、例えば、この設計は、対向する開き側の窓に適合するように反転させられねばならない。それ故、ロックバーがバーガイドと組み合わされて販売される場合、製造業者は、左開きと右開きの開き窓用の２つの異なった部品を製造しなければならない。それ故、左開きの開き窓であっても右開きの開き窓であっても組み立てることができる対称設計を有する、改良されたタイバーおよびタイバーガイドシステムを必要としている。
【先行技術文献】
【特許文献】
【００１０】
【特許文献１】米国特許第６,６５１,３８９号明細書
【発明の概要】
【発明が解決しようとする課題】
【００１１】
従来技術の問題点や欠点に鑑み、本発明の目的は、窓枠の内面に沿って容易に取り付けることのできる、改良された開き窓のタイバーおよびタイバーガイドシステムを提供することにある。
【００１２】
本発明の別の目的は、ロック点につき１つのガイドを要するだけの、改良された開き窓のタイバーおよびタイバーガイドシステムを提供することにある。
【００１３】
本発明のまた別の目的は、タイバーガイド配置を単純化できる、タイバー外形の回りに巻き付くことのない、改良されたタイバーガイドを提供することにある。
【００１４】
本発明のさらに別の目的は、左開きまたは右開きの開き窓のいずれにも取り付けることのできるようにタイバーの長さに関して対称である、改良されたタイバーおよびタイバーガイドシステムを提供することにある。
【００１５】
本発明のさらにまた別の目的は、「ローラ」部品を有するロックピンを必要としない、改良されたタイバーおよびタイバーガイドシステムを提供することにある。
【００１６】
本発明のその他の目的および利点は、本明細書から明白にまたはそこから明らかとなることになる。
【課題を解決するための手段】
【００１７】
上述および当業者にとって自明なその他の目的は、細長い表面を有する窓枠を備えた開き窓のためのロック機構を指向する本発明において達成される。このロック機構は、タイバーの部分を実矧ぎ継ぎで摺動自在に受けるための第１および第２の受け溝を有する、窓枠面に装着されるように適合されたタイバーガイドと、窓枠面に平行な方向に軸方向へ摺動するように適合され、第１の凸部を含む第１部分と第２の凸部を含む第２部分とを有する平坦な中央部分を含む部分的に曲げられた外形および断面を有するタイバーとを含み、第１および第２の凸部は中央部分に関して対向側にある。タイバーはタイバーガイド内に摺動自在に受容され、それにより、タイバーの位置をタイバーガイドに関して長手方向に調節自在にする一方、長手方向に直角な方向へのタイバーの動きを防止するように、タイバーの第１の凸部がタイバーガイドの第１の受け溝に受容されそしてタイバーの第２の凸部はタイバーガイドの第２の受け溝に受容される。タイバーガイドはタイバーの外形の一部だけを取り囲み、タイバーおよびタイバーガイドはそれらの長さに関してそれぞれ対称である。
【００１８】
タイバーガイドは、窓枠面に取り付けられるように適合された基台部分と、タイバーガイド基台部分上に平行に延びる縁部とを含むこともでき、一方のタイバーガイドの第１または第２の受け溝は縁部とタイバーガイド基台部分との間に画定される。タイバーガイドはまた、タイバーガイドを窓枠の内側角部から離間するように適合される、その背面から延びる少なくとも１つのタブを含むこともできる。
【００１９】
タイバーはまた、タイバーを通って横方向に延びる偏心して取り付けられた突出部を有するロックピンを配置するための少なくとも１つの開口をその外面に含むこともでき、ロックピンは、ロック装置が鎖錠位置にあるとき、タイバーに対向して窓台に取り付けられたストライカの外面に対して、タイバーの長手方向に直角に、所望程度まで締め付けられるように適合され、そして、タイバーガイドはまた、タイバーがタイバーガイドを通って軸方向に摺動されるときに、開き窓の組立て中にタイバーガイドの位置決めを助けるように少なくとも１つの開口を配置するための突出部を含むこともでき、突出部および開口は、タイバーガイドを所望の位置に維持するように、戻り止めとして作用する。タイバーガイド突出部は、タイバーがタイバーガイドを通って軸方向へ摺動されたときに、タイバーの外面にぶつかって変形し、そしてタイバーガイドが適切な整列状態に達したときに、少なくとも１つの開口と結合するようにその原形状に戻る。
【００２０】
ロック装置はさらに、タイバーを通って横方向に延びるロックピンに係合しかつタイバーを窓枠に沿って軸方向に摺動するように適合される、窓枠の内面に取り付けられかつタイバーに直角な軸の周りで回転自在なロックハンドルと、窓サッシに取り付けられるストライカと、タイバーを通って横方向に延びる偏心して装着された突出部を有する少なくとも１つのロックピンとを含むこともでき、少なくとも１つのロックピンは、ロックハンドルが少なくとも１つのロックピンを鎖錠位置に移動するように回動されたときに、タイバーの長手方向に垂直に、ストライカの外面に対して所望程度まで締め付けるように適合される。
【００２１】
別の観点において、本発明は、開き窓の作動方法を指向し、それは、実矧ぎ継ぎでタイバーの部分を摺動自在に受けるための第１および第２の受け溝を有する、窓枠面に装着されるタイバーガイドを提供することと、第１の凸部からなる第１部分と第２の凸部からなる第２部分を有する平坦な中央部分を含む部分的に曲った外形および断面を有し、第１および第２部分が中央部分に関して対向する側にあるタイバーを提供することと、タイバーガイドに関して長手方向へタイバーの位置を調節できる一方、当該長手方向と直角な方向へのタイバーの移動を阻止するようにタイバーの第１の凸部がタイバーガイドの第１の受け溝に受容されそしてタイバーの第２の凸部がタイバーガイドの第２の受け溝に受容されるようにタイバーガイド内でタイバーを軸方向に摺動することとを含む。タイバーはタイバーがタイバーガイド内を軸方向へ摺動するようにタイバーの外形の一部のみに巻き付く。
【００２２】
タイバーガイドはまた、窓枠面に取り付けられる基台部分と、タイバーガイド基台部分上に平行に延びる縁部とを含むこともでき、一方のタイバーガイドの第１または第２の受け溝は縁部とタイバーガイド基台部分との間に画定される。
【００２３】
タイバーは、タイバーを通って横方向に延びる偏心して装着された突出部を有するロックピンを配置するための少なくとも１つの開口をその外面に含むこともでき、そしてタイバーガイドは、少なくとも１つの開口を配置するための突出部を含むこともでき、これらの突出部および開口は所望の位置にタイバーガイドを維持するための戻り止めとして作用し、そしてまた、本方法は、タイバーガイドの配置を助けるためにタイバーがタイバーガイドを通って軸方向に摺動するときにタイバーガイド突出部をタイバー開口と整合することをさらに含むことができる。
【００２４】
タイバーガイド戻り止めは、タイバーがタイバーガイドを通って軸方向に摺動されるときにタイバーの外面にぶつかって変形し、そしてタイバーガイドが適切な整合状態に達したときに少なくとも１つの開口と結合するために元の形状に戻る。
【００２５】
本方法はさらに、タイバーを通って横方向に延びるロックピンと係合しかつタイバーを窓枠に沿って軸方向に摺動するように適合される、窓枠の内面に取り付けられかつタイバーに垂直な軸の周りで回転自在なロックハンドルを提供することと、窓サッシに取り付けられるストライカと、タイバーを通って横方向に延びる偏心して取り付けられた突出部を有する少なくとも１つのロックピンとを提供し、ロックハンドルが少なくとも１つのロックピンを鎖錠位置に移動するように回動されたとき、少なくとも１つのロックピンは、ストライカの外面に対して、タイバー長手方向に直角に、所望程度まで締め付けられるように適合されることと、少なくとも１つのロックピンを鎖錠および解錠位置間で動かすようにロックハンドルを回動することとをさらに含むこともできる。
【００２６】
本発明は、また別の形態において、細長い面を有する枠を備えた開き窓のためのロック装置を指向しており、それは、窓枠面に取り付けられるように適合されたタイバーガイドと、窓枠面と平行な方向へ軸方向に摺動するように適合される、タイバーガイド内に摺動自在に受容されるタイバーとを含み、タイバーおよびタイバーガイドの一方はその外面に開口を有し、他方は開口の方向へ延びる突出部を有し、タイバーがタイバーガイド内に摺動自在に受容されたとき、突出部および開口はロック装置の取付け中にタイバーガイドを所望の位置に保持するように戻り止めとして作用する。タイバーガイドはタイバーの外形の一部分の回りのみを巻き込み、タイバーおよびタイバーガイドは各々それらの長さに関して対称である。タイバーガイドはまた、タイバーガイドを窓枠の内側コーナから離間するように適合される、その背面から延びる少なくとも１つのタブを含むこともできる。
【００２７】
タイバーは、タイバーを通って横方向に延びる偏心して装着された突出部を有するロックピンを配置するためにその外面に少なくとも１つの開口を含むこともでき、ロックピンは、ロック装置が鎖錠位置にあるとき、窓台にタイバーに対向して装着されたストライカの外面に対して、タイバーの長手方向に直角に、所望程度まで締め付けられるように適合され、そしてタイバーガイドは、開き窓の組み付け中のタイバーガイドの位置決めに助力するために、タイバーがタイバーガイドを通って軸方向に摺動されるときに少なくとも１つの開口を配置するための突出部を含むこともできる。タイバーガイド突出部は、タイバーがタイバーガイドを通って軸方向に摺動されるときにタイバーの外面にぶつかって変形し、そしてタイバーガイドが適切な整合に達したとき、少なくとも１つの開口と結合するように元の形状に戻る。
【００２８】
本ロック装置はまた、タイバーを通って横方向に延びるロックピンに係合しかつ窓枠に沿ってタイバーを軸方向に摺動するように適合される、窓枠の内面に装着されかつタイバーに垂直な軸の周りで回転自在なロックハンドルと、窓サッシに装着されるストライカと、タイバーを通って横方向に延びる偏心して装着された突出部を有する少なくとも１つのロックピンとをさらに含むこともでき、少なくとも１つのロックピンは、ハンドルが少なくとも１つのロックピンを鎖錠位置に移動するように回動されたとき、タイバー長手方向と直角に、ストライカの外面に対して所望の程度まで締め付けられるように適合される。
【００２９】
タイバーガイドは、タイバーの部分を実矧ぎ継ぎで摺動自在に受けるための第１および第２の受け溝を有していてもよく、タイバーは、第１の凸部を含む第１部分と第２の凸部を含む第２部分とを有する平坦な中央部分を含む部分的に曲った外形および断面を有していてもよく、第１および第２の部分は中央部分に関して対向側にあり、タイバーは、タイバーの位置をタイバーガイドに関して長手方向に調節できる一方、長手方向に垂直な方向へのタイバーの動きを阻止するように、タイバーの第１の凸部がタイバーガイドの第１の受け溝に受容されそしてタイバーの第２の凸部がタイバーガイドの第２の受け溝に受容されるようにタイバーガイドに摺動自在に受容される。
【００３０】
タイバーガイドはさらに、窓枠面に取り付けられた基台部分と、タイバーガイド基台部分上に平行に延びる縁部とを含むこともでき、一方のタイバーガイドの第１または第２の受け溝は縁部とタイバーガイド基台部分との間に画定される。
【００３１】
本発明の新規と信ずる特徴および本発明の特徴であるエレメントは特に添付の特許請求の範囲に記載されている。図面は例示を目的とするだけのものであり、縮尺通りには描かれていない。しかしながら、本発明自体は、機構および作業方法の両者に関して、添付図面と共に以下の詳細な説明を参照することにより最も良好に理解されよう。
【図面の簡単な説明】
【００３２】
【図１】図１は、タイバーを長手方向に移動するように中央ピンに係合するロックハンドルと、窓サッシ（図示なし）に装着された１対のストライカに係合してロックする端部ピンとを有する、本発明のタイバーおよびタイバーガイドの実施例の斜視図である。
【００３３】
【図２】図２は、ロックハンドルと、窓枠（図示なし）に固定されるタイバーガイドおよび窓サッシ（図示なし）に装着されるストライカとを有する、本発明のタイバーおよびタイバーガイドロック装置の実施例の等角図である。
【００３４】
【図３】図３は、窓枠および窓サッシをそれぞれ含む、図２の等角図を示す。
【００３５】
【図４】図４は、閉鎖された位置にある窓サッシを示す、図３の斜視図である。
【００３６】
【図５】図５は、鎖錠位置で示す、本発明の組み立てられたタイバーおよびタイバーガイドの実施例の斜視図である。
【００３７】
【図６】図６は、組み立て中に協働するタイバーの開口と適切に整合されるタイバーガイドの中央突出部を示す、図５の組み立てられたタイバーおよびタイバーガイドの実施例の部分の正面図である。
【００３８】
【図７】図７は、図５の組み立てられたタイバーおよびタイバーガイドの端面図である。
【００３９】
【図８】図８は、図５に示す本発明のタイバーの実施例の斜視図である。
【００４０】
【図９】図９は、組み立て中に協働するタイバーガイドの中央突出部と整合するためのタイバーの外面のノッチを示す、図８のタイバーの部分の拡大図である。
【００４１】
【図１０】図１０は、図５に示す本発明のタイバーガイドの実施例の斜視図である。
【００４２】
【図１１】図１１は、図１０に示すタイバーガイドの実施例の側面図である。
【００４３】
【図１２】図１２は、図１０に示すタイバーガイドの実施例の底面図である。
【００４４】
【図１３】図１３は、図１０に示すタイバーガイドの実施例の正面図である。
【００４５】
【図１４】図１４は、図１０に示すタイバーガイドの実施例の平面図である。
【００４６】
【図１５】図１５は、窓サッシ（図示なし）に対して窓枠を鎖錠するようにストライカの外面に係合する、本発明のタイバーロック装置のロックピンの斜視図である。
【００４７】
【図１６】図１６は、鎖錠位置で示す、組み立てられた本発明のタイバーおよびタイバーガイドロック装置の別の実施例の斜視図である。
【００４８】
【図１７】図１７は、組立て中に協働するタイバーのノッチと適切に整合されるタイバーガイドの中央突出部を示す、図１６の組み立てられたタイバーおよびタイバーガイドの実施例の部分の平面図である。
【００４９】
【図１８】図１８は、図１６の組み立てられたタイバーおよびタイバーガイドの端面図である。
【００５０】
【図１９】図１９は、図１６に示す本発明のタイバーの実施例の斜視図である。
【００５１】
【図２０】図２０は、組立て中に協働するタイバーの中央突出部と整合するためのタイバーの外面のＶ字形ノッチを示す、図１９のタイバーの部分の拡大図である。
【００５２】
【図２１】図２１は、図１６に示す本発明のタイバーガイドの実施例の斜視図である。
【００５３】
【図２２】図２２は、図２１に示すタイバーガイドの実施例の側面図である。
【００５４】
【図２３】図２３は、図２１に示すタイバーガイドの実施例の底面図である。
【００５５】
【図２４】図２４は、図２１に示すタイバーガイドの実施例の正面図である。
【００５６】
【図２５】図２５は、図２１に示すタイバーガイドの実施例の平面図である。
【発明を実施するための形態】
【００５７】
本発明の実施例の説明において、参照符号は、図１−２５の図面について、同様な参照符号が本発明の同様な機構を参照するするように付されている。
【００５８】
ここにおいて、幾つかの用語が利便性のためだけに用いられており、それらは本発明を限定するものではない。例えば、「上」、「下」、「左」、「右」、「水平」、「垂直」、「上方」および「下方」のような語は、たんに図面に示された形態を述べる。明確化のために、図面において、同様な参照符号が同様なエレメントを指定するように用いられている。
【００５９】
本発明の実施例のタイバーおよびタイバーガイドロック装置を備えた典型的な開き窓が図１−１５に包括的に示されている。開き窓は、窓の開放側に沿って窓枠に摺動自在に装着されたタイバーを含むロック機構を備える。タイバーにはタイバーから外方へ延びる多重ロックピンが設けられる。使用者によって鎖錠および解錠位置間に入れることができるロックハンドルが窓枠の内部に設けられる。ロックハンドルはタイバーを摺動して各ロックピンを対応する鎖錠および解錠位置間で動かす。
【００６０】
開き窓サッシには、窓が閉じられたときに枠のロックピンの前の位置に移動する多重キーパまたはストライカが設けられる。使用者は、そのとき、鎖錠位置にロックハンドルを動かし、タイバーを摺動して各々独立したロックピンを対応するキーパまたはストライカとの係合状態へ動かす。
【００６１】
ロックピンおよびストライカは、典型的に、サッシの底部から始まり、サッシの頂部で終わる一連の手段でロックピンがキーパに係合するように適切に離間される。その結果、サッシの底部がまず固定され、そして中間および頂部ロックピンの中間および頂部傾斜キーパとの相互作用が枠に対して引っ張られるサッシの中間および頂部分に生じ、閉鎖状態に固定される。
【００６２】
図１−４は、それぞれ、窓サッシに取り付けられたストライカを有する、窓枠に取り付けられた本発明のタイバーおよびタイバーガイドの実施例を示す。図１は、鎖錠位置にある本発明のタイバーおよびタイバーガイド装置の実施例の斜視図を示し、矢印で示される窓枠と平行な長手方向にタイバーを移動するために中央ピン３０に係合するロックハンドル５０を有し、窓サッシ（図３）に取り付けられた１対のストライカ４０に係合して固定する端部ピンを有する。開き窓を鎖錠位置に移動するようにロックハンドル５０が回転されたとき、ロックピン３０はストライカ４０の外面４１に対して係合して保持される。本発明の典型的なストライカ４０の斜視図が図１５に示されている。
【００６３】
上述のように、本発明は、ミンター（Minter）他の米国特許第６,６５１,３８９号のような従来のいくつかのタイバーおよびタイバーガイド装置と違って、開き窓が鎖錠位置にあるときにロックピンが平坦な「キーパ」またはストライカのスロットまたは溝に受容されることを必要とせず、むしろロックピンのフランジ３４はストライカ４０の外面４１に対して一側にだけ保持される（図１５）。要するに、ストライカ４０は、その中にロックピンを受容するスロットまたは溝を有していない。さらに、本発明の利点は、ロック点毎に１つのタイバーガイドを必要とするだけであるのに対して、ミンター他に付与された米国特許第６,６５１,３８９号従来の装置のような従来の装置では、最低２つのタイバーが必要である。
【００６４】
図２−３は、ロックハンドル５０を有し、複数のファスナまたはネジ６０によって窓枠１００に固着されたタイバーガイド２０を有し、そしてストライカ４０がタイバーおよびガイドに対向して窓サッシ２００に同様な手段で固着された本発明のタイバーおよびタイバーガイドの実施例の等角図を示す。タブ４２は、図１５にまた示されるように、ストライカ４０を窓サッシ２００の内側コーナから離間する。従来の装置と異なり、ストライカ４０は、サッシのいずれのスロットを通って延びるネジもなしに、窓サッシ２００にネジ留めされ、そしてキーパまたはストライカタブ４２はサッシのスロットに延びてはいない。
【００６５】
図５−７は、対応するストライカ、ロックハンドル、および窓枠およびサッシのない、組み立てられた、鎖錠位置にあるタイバーおよびタイバーガイドを示す。
【００６６】
図示のように、ロックまたはタイバー１０は、タイバーガイド２０内に摺動自在に受容されるように適合され、タイバーと平行に延びる窓枠（図示なし）に取り付けられる。ロックバー１０は、図５に４本のロックピンとして示される、離間した関係で装着された複数のロックピン３０に沿った長さを有する。ロックピンの数は例示目的のためだけに４本として示されており、そして本発明は４本のロックピンからなる実施例に限定されるものではないことは当業者にとって理解されるべきことである。図７に示されるように、タイバーガイド２０は、タイバー１０の部品を実矧ぎ継ぎで受容するための第１および第２の受け溝または堀２３、２５を有することもできる。タイバー１０は、第１の縁部または凸部を含む第１部分またはセグメントと第２の縁部または凸部を含む第２部分またはセグメントとを有する平坦な中央部分を含む部分的に曲げられた外形および断面を有し、第１および第２の部分は中央部分に関して対向する側にある。
【００６７】
図７に示されそして図９に最もよく示されるように、一実施例において、タイバー１０は、縁部１４と中央部分１１との間に溝１５を画定する垂直縁部１４を含む一端の第１の湾曲部分１７と、第１の湾曲部分の方向へ平坦な中央部分１１の下方にほぼ平行に延びる水平縁部１２を含む他端の第２の湾曲部分１８とを有する平坦な中央部分１１からなる断面を有する。各湾曲部分１７、１８は、タイバーガイドの相補的な受け溝部分と「実矧ぎ継ぎ」形式で結合するように縁部または凸部を形成する（図７）。
【００６８】
図８に示されるように、タイバー１０の平坦な中央部分１１は、横方向に貫通するよう挿入されるロックピン（図示なし）を受容するための複数の貫通孔１９を備える。タイバー１０はさらに、組み立て中に、タイバーガイド２０から延びる定置タブまたは突出部２６と結合するためにその外面に少なくとも１つの開口またはノッチ１６を備える（図９）。図８に示されるように、各ノッチは、ロックピン３０を受容するために貫通孔１９と整合される。
【００６９】
図７を再び参照すると、ロックピン３０は一体化された単一構造であり、タイバー１０の平坦な中央部分を通って横方向に延びる偏心して装着された突出部３６を有する。少なくとも１つの実施例において、そして従来のロックピンと対照的に、ロックピン３０は、外方ローラの回転軸として作用する内方ピンで回転する外方円筒形ローラを有する「ローラ」ピンを含んでいない。ロックピン３０は、ロック装置を鎖錠位置に移動するようにロックハンドルが使用者によって入れられたときに、ストライカの外面に対してタイバーの長手方向と直角の方向に所望程度まで締め付けられるように適合された頂部フランジ３４を有する（図２−３および５）。ピン３０は、ロックバー１０に関して横方向にその位置を移動するが、一旦配置されると固定状態で維持するように、突出部３６の回りで矢印３８の方向へ回転できる。ピン突出部３６はピン本体３２からのみ延び、そしてピン本体を貫通またはそれを通って延びず、そしていかなる「ローラ」部分をも貫通しない。一実施例において、図５に示されるように（また、図１６−１７に示されるように）、各ロックピン３０は、圧縮シールを調節するようにピン３０を締め付けるための六角形嵌合部３１を備えてもよい。適所に配置されると、ピン３０は固定されて、回転または転がらない。
【００７０】
本発明の一実施例において、図７に示されるように、タイバーの第１の湾曲部分１７は、そこから垂直縁部１４が上向きに延びるＵ字形でもよく、そして第２の湾曲部分１８は、そこから平坦な中央部分１１の下方にＵ字形部分の方向へ水平縁部１２が延びるＣ字形部分でもよく、そこにおいて、各縁部１４、１２は「実矧ぎ継ぎ」形式でタイバーガイド２０の相補的受け溝部分２３、２５と結合するように適合される。図７に示されるように、従来のタイバーガイドと比較して、タイバーガイド２０は、縁部１２、１４を含むガイド外形の一部として図７に示される、タイバー１０の外形の一部の回りのみに巻き付く。タイバー１０の外形の一部の回りのみに巻き付くことにより、従来技術におけるような外形全体よりも、窓枠の面に沿ったタイバーガイドの間隔空けおよび取付けを簡略化することができる。
【００７１】
図７にさらに示され、そしてまた図１０の斜視図に示されるように、タイバーガイド２０は、第１の受け溝２３を画定する垂直縁部２２がそこから下向きに延び、そして第２の受け溝２５を画定するようにそこから水平縁部２４がタイバーガイドの基台部分上に平行に延びる湾曲部分を一端に有する逆Ｕ字形を有する第１の部分を含む断面を有することもできる。図７に示されるように、一実施例において、湾曲部分は、水平縁部２４が逆向き「Ｃ」字形の頂部分を構成し、タイバーガイドの基台部分２８が逆向き「Ｃ」字形の底部分を構成する逆向きＣ字形であり得る。
【００７２】
図１０−１４は、図５−７に示されるような、本発明のタイバーガイドの実施例の多様な図を示す。図１０−１４に示されるように、タイバーガイド２０は、組立て中にタイバーがタイバーガイドを通って軸方向へ摺動されるように、協働するタイバー１０を有するタイバーガイドを配置するのを助けるために、タイバーガイド２０の長さのほぼ中間位置に配置された定置タブまたは突出部２６をさらに含む。タイバーガイドが適所に配置されたとき、突出部２６は、図６に示されるように、タイバー１０の外面のノッチまたは開口１６内に延び、そして突出部および開口はタイバーガイドを所望の位置に維持するように戻り止めとして作用する。図１０−１４に示されるように、突出部２６はタイバー１０の軸運動の方向に指向される対向して傾斜付けられた面を有し、それにより、突出部は、ロック装置が鎖錠および解錠位置間を移動するようにタイバーガイドに関して長手方向にタイバーの位置を調節するのに十分な力で開口またはノッチから離れるように適合される。一実施例において、タイバー垂直縁部１４はタイバー１０の長さの少なくとも一部分に沿って延びることもでき、そしてロックピン３０（図５）を受けるための貫通孔または開口１９に各々整列される複数の離間されたノッチ１６を含むこともできる。適所に配置されたとき、各タイバーガイド突出部２６は、タイバーガイド２０の適切な整合を示すようにタイバーの対応する開口１６と結合する。
【００７３】
本発明のその他の実施例において、突出部／開口構造は可逆であり、それにより、タイバーはタイバーガイドの開口の方向へ延びる突出部を代わりに含むこともできることは、当業者により理解されるべきである。このような形態のいずれにおいても、組立て中にタイバーがタイバーガイドを通って軸方向へ摺動されるように、突出部２６は適切な整合を示すようにノッチまたは開口１６内に延び、そして突出部／開口構造はタイバーガイドを所望位置に維持するための戻り止めとして作用する。
【００７４】
少なくとも１つの実施例において、タイバーガイド突出部２６は、タイバーがタイバーガイドを通って軸方向に摺動され、そしてタイバーガイド２０が適切な整合に達したとき、開口１６と結合するように元の形状に戻るように、タイバー１０の外面に対して変形する。ミンター他の米国特許第６,６５１,３８９号「改良されたタイバーガイドおよびストライカを有する開き窓」のような従来のタイバーガイドと異なり、位置決めタブまたは突出部２６は、タイバー１０がタイバーガイド２０を通って適切な位置へと軸方向に摺動されるとき（図６）、避けたり削ぎ取られたりしない。それどころか、突出部２６は、タイバーがタイバーガイド内へ軸方向に摺動され、そしてタイバーガイドが適所にあるとき、タイバーの対応するノッチ内へ外向きに偏移されるように、タイバーの外面に対して柔軟である。対となる突出部２６およびノッチまたは開口１６は、タイバーガイドを所望位置に維持しそしてタイバーの長手軸と直角な方向へのタイバーの移動を阻止するための戻り止めとして作用する。さらに、従来のタイバーガイドと異なり、本発明のタイバーガイド２０は、窓枠の溝内に受容される定置フランジまたは脚部を使用しない。図１０、１２および１４に示されるように、タイバーガイド２０は、タイバーガイドを窓枠（図示なし）に固定するようにファスナを受容するための少なくとも１つの貫通孔２７を備える。図２−３に示されるように、タイバーガイド２０は、据付け中に窓枠の内側コーナからタイバーガイドを離間するようにその背面から延びる少なくとも１つのタブを備え得る。タイバーガイドは、ガイドを通って延びるファスナ６０を用いて窓枠の表面に固定され、そしてガイドは枠内に伸延または受容される部分はない（図３）。
【００７５】
図７に最もよく示されるように、一実施例において、タイバー１０はタイバーガイド２０に摺動自在に受容され、それにより、タイバーの位置をタイバーガイドに関して長手方向へ調節できる一方、タイバーの長手方向に垂直な方向への移動を防止するように、タイバー垂直縁部１４はタイバーガイド受け溝２３に受容され、そしてタイバー水平縁部１２はタイバーガイドの第２の受け溝２５に受容される。図７に示されるように、タイバーおよびタイバーガイドの水平縁部１２、２４は、それぞれ、ＣおよびＵ字形に形成される空洞または溝に相互に突出し、タイバーおよびタイバーガイドの垂直縁部１４、２２は、Ｕ字形に形成される空洞または溝に相互に突出する。本発明は、タイバー／タイバーガイドを図７に示される向きでのＣおよびＬ字形「実矧ぎ継ぎ」構造に限定するものではなく、また、結合する「実矧ぎ継ぎ」の向きが、窓枠に沿った長手方向へのタイバーガイドに関するタイバーの位置の調整を許容する一方、長手方向に垂直な方向へのタイバーの動きを防止する限り、その他の向きもまた使用し得ることは当業者によって理解されるべきである。
【００７６】
本発明の別の利点は、タイバーおよびタイバーガイド装置がタイバーの中心長さに関して対称であることである。左開きおよび右開きの開き窓のためにタイバーガイドを反転させる必要があった従来装置と比較すると、本発明のタイバーおよびタイバーガイド装置はその対称設計によって左開きまたは右開きの開き窓のいずれにも取り付けられる。このことは、タイまたはロックバーがガイドと組み合わされて販売されている場合、従来設計では左開き用と右開き用をそれぞれ別個に製造する必要があるのに対し、１組の組合せだけを製造すればよいという、製造する上での利点を提供する。
【００７７】
本発明の第２の実施例のタイバーおよびタイバーガイドが包括的に図１６−２５に示されている。図１８に示されるようにそして図２０に最もよく示されるように、バー１０´は平坦な中央部分１１と、平坦な中央部分１１の一端の、溝１５を画定する垂直縁部１４を備えた第１の湾曲部分１７と、平坦な中央部分１１の対向端の、第１の湾曲部分に対向する方向へ平坦な中央部分１１の下側でほぼ平行に延びる水平縁部１２´を備えた第２の湾曲部分１８´とからなる断面を有する。各湾曲部分１７、１８´は、タイバーガイド２０´の溝部分を相補的に受容する「実矧ぎ継ぎ」様式で結合するように縁部または凸部を形成する（図１８）。
【００７８】
図１８にまた示されるように、タイバーの第１の湾曲部分１７は、垂直縁部１４が上向きに延びるＵ字形であってもよく、そして第２の湾曲部分１８´は、水平縁部１２´がＵ字形部分に対向する方向へ平坦な中央部分１１の下側に延びる逆向きのＬ字形部分であってもよく、そこにおいて、各縁部１２´、１４は、タイバーガイド２０´の相補的に受容する溝部分２３、２５´と「実矧ぎ継ぎ」様式で結合するように適合される。
【００７９】
図１８にさらに示され、そしてまた図２１の斜視図に示されるように、タイバーガイド２０´は、第１の受け溝２３を画定する垂直縁部２２が下向きに延び、そして第２の受け溝２５´を画定するように水平縁部２４が内向きに延びる湾曲部分を一端に有する逆Ｕ字形を有する第１部分からなる断面を有する。図１８に示されるように、一実施例において、湾曲部分はＣ字形でもよく、そこにおいて、水平縁部２４´は「Ｃ」の頂部分を構成しそしてタイバーガイドの基台部分２８は「Ｃ」字形の底部分を構成する。
【００８０】
タイバー１０´はタイバーガイド２０´に摺動自在に受容され、それにより、タイバーの位置をタイバーガイドに関して長手方向のみに調節でき、そしてタイバーの長手方向軸に垂直な方向へのタイバー１０´の動きを阻止するように、タイバー垂直縁部１４はタイバーガイド受け溝２３に受容されそしてタイバー垂直縁部１２´はタイバーガイドの第２の受け溝２５´に受容される。図１８に見られるように、タイバーガイド２０´はタイバー１０´の外形の一部のみに巻き付く。図１８にさらに示されているように、それぞれ、タイバーおよびタイバーガイドの水平縁部１２´、２４´はそれらのＣ字形およびＬ字形により形成される空洞または溝内に相互に突出し、そしてタイバーおよびタイバーガイドの垂直縁部１４、２２はそれらのＵ字形により形成される空洞または溝内に相互に突出する。
【００８１】
図１９−２０に示されるように、タイバー１０´は、組立て中に、タイバーガイド２０´のほぼ中間点から延びる突出部２６´と結合するために、Ｖ字形ノッチのような、少なくとも１つのノッチを外壁部にさらに備える（図２０）。図１９に示されるように、一実施例において、垂直縁部１４はタイバー１０´長さの少なくとも一部分に沿って延び、そして、ロックピン３０を受容するために各々が貫通孔または開口１９と整合される複数の離間されたノッチ１６´からなることもできる。適切に配置されたとき、各タイバーガイド突出部２６´は、タイバーガイド２０´の適切な調整を指示するように、対応するノッチ１６´に合致し、この突出部／ノッチ構造はタイバーガイドを所望の位置に維持するための戻り止めとして作用する。
【００８２】
図２１−２５は、タイバーガイド２０´の多様な図を示す。図示のように、タイバーガイド２０´は、下向きに向いたフック形状の突出部のような突出部２６´をさらに備え、突出部２６´は、組立て中に、協働するタイバー１０´と共にタイバーガイドを配置するのに役立つように、タイバーガイド２０´の長さのほぼ中間点に配置され得る。図２１−２２に示されるように、突出部２６´はガイド２０´の頂面の下方に配置してもよく、それにより、突出部は、長手方向で見たとき、溝２３内に少なくとも部分的に延びる。組立て中にタイバー１０´がタイバーガイド２０´内で軸方向に摺動されるので、突出部２６´は縁部１４の上面に沿って摺動する。ガイド２０´が適切に配置されたとき、突出部２６´は、図１７−１８に示されるように、タイバー１０´の縁部１４のＶ字形ノッチ１６´に「嵌合」することができる。
【００８３】
本発明のタイバーおよびタイバーガイドロック装置は、従来の開き窓ロック装置における１つまたはそれ以上の問題を解消する。本発明は、窓枠の内面に沿った取付けを容易にし、そしてロック点毎に１つのタイバーガイドのみを必要とする、改良された開き窓ロック装置を提供する。改良されたタイバーガイドは、タイバーの開口と整合するための定置タブを備えるが、取付け中のガイドの設置簡略化できるタイバー外形の回りに巻き付くことがないことを提供される。加えて、タイバーおよびタイバーガイドは、左開きおよび右開きのいずれの開き窓にも組み込むことができるように、タイバーの長さに関して対称である。
【００８４】
本発明は特定の実施例と共に具体的に説明されたが、当業者にとって、前述の説明を考慮すると、多くの互換、変形および変更が容易であることは明らかである。それ故、本発明の真なる範囲および主旨内にあるそのようないかなる互換、変形および変更も添付の請求の範囲は含む。
【符号の説明】
【００８５】
１０  タイバー
１１  中央部分
１２  水平縁部
１４  垂直縁部
１５  溝
１６  開口
１７  湾曲部分
１８  湾曲部分
１９  貫通孔
２０  タイバーガイド
２２  垂直縁部
２３  受け溝
２４  水平縁部
２５  受け溝
２６  定置タブ
３０  ロックピン
３１  嵌合部
３２  ピン本体
３４  頂部フランジ
３６  突出部
４０  ストライカ
４１  外面
４２  キーパ
５０  ロックハンドル
６０  ネジ
１００  窓枠
２００  窓サッシ
【図１】
2018059392.tif 000003
【図２】
2018059392.tif 000004
【図３】
2018059392.tif 000005
【図４】
2018059392.tif 000006
【図５】
2018059392.tif 000007
【図６】
2018059392.tif 000008
【図７】
2018059392.tif 000009
【図８】
2018059392.tif 000010
【図９】
2018059392.tif 000011
【図１０】
2018059392.tif 000012
【図１１】
2018059392.tif 000013
【図１２】
2018059392.tif 000014
【図１３】
2018059392.tif 000015
【図１４】
2018059392.tif 000016
【図１５】
2018059392.tif 000017
【図１６】
2018059392.tif 000018
【図１７】
2018059392.tif 000019
【図１８】
2018059392.tif 000020
【図１９】
2018059392.tif 000021
【図２０】
2018059392.tif 000022
【図２１】
2018059392.tif 000023
【図２２】
2018059392.tif 000024
【図２３】
2018059392.tif 000025
【図２４】
2018059392.tif 000026
【図２５】
2018059392.tif 000027
【外国語明細書】
2018059392000001.pdf